(57)【特許請求の範囲】
【請求項１】
液透過性の表面シートと、液不透過性の裏面シートと、それらの間に設けられた吸収体とを有したペット用排泄物吸収性物品用の表面シートにおいて、
上層と下層の２層からなり、上層が白色で、複数の開孔を有し、下層がマンセル色相２．５ＹＲ〜７．５ＧＹ〜１０．０ＢＧに着色され、
前記上層は、上段と下段との２段構造であり、前記上段の開孔率が前記下段の開孔率よりも高く、かつ前記上段の開孔密度（孔／ｃｍ２）が前記下段の開孔密度（孔／ｃｍ２）よりも低くされたペット用排泄物吸収性物品用の表面シート。
【請求項２】
前記上段は、開孔率５０〜９９％、開孔密度１〜２５孔／ｃｍ２、厚み１００〜９００μｍであり、前記下段は、開孔率３２〜５０％、開孔密度５０〜２５０孔／ｃｍ２、厚み１００〜９００μｍである請求項１記載のペット用排泄物吸収性物品用の表面シート。
【請求項３】
請求項１又は２に記載のペット用排泄物吸収性物品用の表面シートと、液不透過性の裏面シートと、それらの間に設けられた吸収体とを有したペット用排泄物吸収性物品。
【請求項４】
前記吸収体は、ヒノキ及びヒバから選択される１種以上を含む、請求項３に記載のペット用排泄物吸収性物品。
【発明の詳細な説明】
【技術分野】
【０００１】
本発明は、ペット用排泄物吸収性物品用の表面シート、およびこれを有したペット用排泄物吸収性物品に関する。
【背景技術】
【０００２】
近年、犬、猫等のペットは家族同然であり、人とペットとが同じ空間で生活することが多くなっている。そこで、快適な共生の実現のために、ペット排泄物に起因した汚れに対する隠蔽性に優れたペット用排泄物吸収性物品が求められている。
室内で飼われるペット用の排尿処理成形物として、シートタイプのペット用排泄物吸収シートが知られている。ペット用排泄物吸収シートは、上から順に、液透過性の表面シート、吸収体、液不透過性の裏面シートを基本構成としており、吸収体にペットの尿を留められるようになっている。
【０００３】
犬、猫等の動物は青色等に着色された部分を認識する。このことを利用して、着色されたシートに排泄するよう躾けるため、従来、青色のペット用排泄物吸収シートが用いられてきた。特許文献１には、中心部のみを青色等で着色したペット用排泄物吸収シートが開示されている。これは、中心部のみに排泄するように躾けることを目的としている。
しかしながら、青色のシートは尿跡が目立つという問題があった。このような、尿跡の目立つペット用排泄物吸収シートは、飼い主が不衛生感を感じる、ペットが使用を嫌がる等の理由から、人が多く出入りする室内に長時間設置するには不向きであり、排泄のたびに交換する必要があった。
近年、共働きの家庭が増え、その都度ペット用排泄物吸収シートを交換するのはむずかしく、長時間設置しても尿跡の目立たない、ペット用排泄物吸収シートが求められている。
そこで、尿跡を目立たなくするために、緑色に着色されたペット用排泄物吸収シートが市販されている。
【特許文献１】特許第３５４８３８４号公報
【発明の開示】
【発明が解決しようとする課題】
【０００４】
しかしながら、従来の緑色に着色されたペット用排泄物吸収シートは、尿跡の輪染みなどが目立ち、尿跡の隠蔽性が十分ではないという問題があり、室内に長時間設置するのに好ましいものではなかった。
【０００５】
本発明は、上記事情を鑑みてなされたもので、ペット排泄物に起因した汚れに対する隠蔽性に優れ、長時間使用可能とするペット用排泄物吸収性物品の表面シート、およびこれを有したペット用排泄物吸収性物品を提供することを目的とする。
【課題を解決するための手段】
【０００６】
本発明のペット用排泄物吸収性物品用の表面シートは、液透過性の表面シートと、液不透過性の裏面シートと、それらの間に設けられた吸収体とを有したペット用排泄物吸収性物品用の表面シートであって、上層と下層の２層からなり、上層が白色で、複数の開孔を有し、下層がマンセル色相２．５ＹＲ〜７．５ＧＹ〜１０．０ＢＧに着色されていることを特徴とする。
【０００７】
本発明のペット用排泄物吸収性物品用の表面シートは、前記上層の開孔率が３２〜５０％、開孔密度が５０〜２００孔／ｃｍ２、厚みが３００〜１０００μｍであると好ましい。
【０００８】
本発明のペット用排泄物吸収性物品用の表面シートは、前記上層が、上段と下段との２段構造であり、上段が下段の開孔率よりも高い開孔率を有していると好ましい。
【０００９】
本発明のペット用排泄物吸収性物品は、本発明のペット用排泄物吸収性物品用の表面シートと、液不透過性の裏面シートと、それらの間に設けられた吸収体とを有したことを特徴とする。
【発明の効果】
【００１０】
本発明のペット用排泄物吸収性物品用表面シートは、ペット排泄物に起因した汚れに対する隠蔽性に優れ、ペット用排泄物吸収性物品を長時間使用可能とする。
また、本発明のペット用排泄物吸収性物品は、ペット排泄物に起因した汚れに対する隠蔽性に優れ、長時間使用可能である。
【発明を実施するための最良の形態】
【００１１】
以下、本発明を詳細に説明する。
図１に示されるように、本発明のペット用排泄物吸収性物品用の表面シート１１は、液透過性の該表面シート１１と、液不透過性の裏面シート１３と、それらの間に設けられた吸収体１２とを有したペット用排泄物吸収性物品１０に用いる表面シートであり、上層１４と下層１５の２層からなるものである。
【００１２】
〔ペット用排泄物吸収性物品用の表面シート〕
（上層）
図１に示されるペット用排泄物吸収性物品用の表面シート１１において、ペットの排泄物が始めに当たる面に配置されている上層１４は、白色で複数の開孔を有することを特徴としている。
上層としては、ポリエチレン、ポリプロピレン等のポリオレフィン、ポリエチレンテレフタレート等のポリエステル、ポリ塩化ビニル等のビニル系ポリマーなどの熱可塑性樹脂による白色の開孔フィルムを用いるのが好ましい。
【００１３】
ポリエチレン等による開孔フィルムの坪量は１５〜３５ｇ／ｍ２、特に２０〜３０ｇ／ｍ２であることが好ましい。本発明においては、フィルムに液透過用の孔を開ける際、フィルムの表面から下方へ孔が延びるように加工すると好ましい。
このとき、孔がすり鉢状になるように開孔すると好ましい。図３の孔２２のように、孔の形状がすり鉢状であると、尿が下方に流れやすく尿の吸収が早くなるだけでなく、吸収体側の開孔面の径が小さくなるため、尿が逆戻りしにくい。
本発明に係る上層とは、開孔フィルム表面から、開孔フィルムの表面から下方に向かって延びた孔の最下部までを示し、その厚みが３００〜１０００μｍであると好ましく、３２０〜８００μｍであると更に好ましく、３５０〜６００μｍであると特に好ましい。上層の厚みが３００μｍ以上であれば、使用する際にペットが引掻く等しても破れにくい程度の、強度が保持される。対して厚みが１０００μｍ以下であれば、シートを加工する際、孔が開けやすく加工し易い。
【００１４】
上層の面積あたりの開孔率は３２〜５０％であると好ましく、３５〜５０％であると更に好ましい。開孔率が３２％以上であるとペット用排泄物吸収性物品の表面に尿が残りにくく、５０％以下であれば、尿跡の隠蔽性が良好である。
また、上層の面積あたりの開孔率が前記開孔率であるとき、上層の開孔密度は５０〜２００孔／ｃｍ２であると好ましく、５０〜１８０孔／ｃｍ２であると更に好ましく、５０〜１５０孔／ｃｍ２であると特に好ましい。開孔密度が５０孔／ｃｍ２以上であれば、尿跡の隠蔽性が良好であり、２００孔／ｃｍ２以下であると、ペット用排泄物吸収性物品の表面に尿が残りにくい。
【００１５】
上層は、図２及び図３に示されるように、フィルム２１が孔２２を有する１段構造であっても、図４及び図５に示されるように、フィルムが上段３１と下段３２を形成し、下段３２に孔３３を有する２段構造であってもよい。
【００１６】
図３のように、ペット用排泄物吸収性物品用の表面シートの上層が１段構造である場合、ペットがその上を踏むと、吸収体で保持されている尿が逆戻りを起こし、ペットの足等が濡れる可能性がある。
しかし、図５のようにペット用排泄物吸収性物品用の表面シートの上層が、上段と下段とを有する場合、ペットの足は、上段の部分を踏むこととなる。従って、尿が逆戻りする恐れのある下段の部分を直接踏むことがなく、ペットの足が濡れず、屋内で飼うペットにとって衛生的であり好ましい。
【００１７】
上層が図５に示すように、上段３１と下段３２とを有する２段構造であるとき、上段が下段の開孔率よりも高い開孔率を有していると好ましい。
下段の面積あたりの開孔率は３２〜５０％であると好ましく、３５〜５０％であると更に好ましい。開孔率が３２％以上であるとペット用排泄物吸収性物品の表面に尿が残りにくく、５０％以下であれば、尿跡の隠蔽性が良好である。これに対して、上段の面積あたりの開孔率は、５０〜９９％が好ましく、５５〜９７％であると更に好ましく、６０〜９５％であると特に好ましい。開孔率が５０％以上であるとペットの足がペット用排泄物吸収性物品用の表面シートに接触する面積が減り、９９％以下であると、上段の開孔率が大きすぎてペットの足が直接下段に触れる等のことがない。
またこのとき、上段の開孔密度は下段の開孔密度より低いと好ましい。
下段の開孔密度は５０〜２００孔／ｃｍ２であると好ましく、５０〜１８０孔／ｃｍ２であると更に好ましく、５０〜１５０孔／ｃｍ２であると特に好ましい。開孔密度が５０孔／ｃｍ２以上であれば、尿跡の隠蔽性が良好であり、２００孔／ｃｍ２以下であると、ペット用排泄物吸収性物品の表面に尿が残りにくい。対して、上段の開孔密度は１〜２５孔／ｃｍ２であると好ましく、１．５〜２０孔／ｃｍ２であると更に好ましく、２〜１５孔／ｃｍ２であると特に好ましい。開孔密度が１孔／ｃｍ２以上であれば、上段の開孔密度が小さすぎてペットの足が直接下段に触れる等のことがなく、２５孔／ｃｍ２以下であれば、ペットの足がペット用排泄物吸収性物品用の表面シートに接触する面積が減る。
【００１８】
更に、上段の厚みは１００〜９００μｍであると好ましく、２００〜８００μｍであると更に好ましい。このとき下段の厚みが１００〜９００μｍであると好ましく、２００〜８００μｍであると更に好ましい。
上段の厚みが１００μｍ以上であれば尿が逆戻りする恐れのある下段の部分を直接踏むことがなく、９００μｍ以下であれば尿の吸収を妨げる事もない。また、下段の厚みが１００μｍ以上であれば尿の逆戻りをなくすことができ、９００μｍ以下で尿の吸収を妨げる事もない。
【００１９】
（下層）
図１に示されるペット用排泄物吸収性物品用の表面シート１１において、吸収体１２側に配置されている下層１５は、マンセル色相２．５ＹＲ〜７．５ＧＹ〜１０．０ＢＧに着色されていることを特徴としている。
マンセル色相とは、アメリカのアルバート・マンセル（Ａｌｂｅｒｔ  Ｈ．  Ｍｕｎｓｅｌｌ（１８５８−１９１８））によって、創り出された色を数値的に表すための体系（表色系）の色彩を表現する３属性の中の１つである。他の２つの属性は明度と彩度である。色相は、色の種類を表すものである。マンセルはこれを基本となる５色、赤(Ｒ)、黄(Ｙ)、緑(Ｇ)、青(Ｂ)、紫(Ｐ)と中間の５色、黄赤(ＹＲ)、黄緑(ＧＹ)、青緑(ＢＧ)、青紫(ＰＢ)、赤紫(ＲＰ)の合計１０色に分割した。さらにそれらの色相を１０で分割した計１００色相で表現した。これを順番に円形に並べたものを色相環という。色相環では各色の基本５色を５で、１０分割した色を１０として色名の頭文字に付加して表現する。黄色であれば５Ｙ、青緑であれば１０ＢＧとなる。１００分割した色の場合、それぞれ１〜４、６〜９を付ける。
【００２０】
下層のマンセル色相は２．５ＹＲ〜７．５ＧＹ〜１０．０ＢＧであり、７．５ＹＲ〜７．５ＧＹ〜２．５ＢＧであると好ましく、７．５Ｙ〜７．５ＧＹ〜１０．０Ｇであると更に好ましい。下層のマンセル色相が、２．５ＹＲ〜７．５ＧＹ〜１０．０ＢＧの範囲内であれば、尿跡の隠蔽性に優れ、かつ血尿の色が確認できるので、ペットの健康管理をおこなえる。
しかしながら、下層のマンセル色相が、１０ＰＢ〜１０Ｂ〜１．０Ｂの範囲であると、尿跡の隠蔽性に劣る傾向にある。また、下層のマンセル色相が１ＹＲ〜１０ＰＲ〜１Ｐの範囲であると、血尿の色が確認できず、ペットの健康管理に支障をきたす恐れがある。
【００２１】
下層として用いるのは、薄葉紙、ティッシュ、拡散紙、クレープ紙、吸水紙または不織布が好ましい。
不織布としては具体的に、パルプやレーヨンなどのセルロース系繊維で形成されたスパンレース不織布、前記セルロース系繊維と親水処理された合成樹脂繊維とで形成されたスパンレース不織布、親水処理された熱融着性の合成樹脂繊維で形成されたエアースルー不織布、親水処理された熱融着性の合成樹脂繊維で形成されたポイントボンド不織布などである。あるいは親水処理されたスパンボンド不織布、スパンボンド不織布にマイクロファイバーをラミネートした複合不織布で、具体的には、メルトブロー不織布／スパンボンド不織布／メルトブロー不織布の３層複合不織布等が用いられると好ましい。
【００２２】
〔裏面シート〕
図１に示されるペット用排泄物吸収性物品１０において、裏面シート１３は、尿漏れを防止するため液不透過性である。裏面シートは、ポリエチレン、ポリエチレンテレフタレート等による樹脂フィルム、ポリエチレンフィルムとポリプロピレンフィルムとを積層した複層の樹脂フィルム、又は撥水性あるいは疎水性の不織布等で形成されると好ましい。この不織布は、メルトブロー不織布またはスパンボンド不織布、あるいはメルトブロー不織布とスパンボンド不織布とが積層された積層不織布などである。
裏面シートはその厚みが１５〜３０μｍであると好ましく、２０〜２５μｍであると更に好ましい。裏面シートの厚さが１５μｍ以上であれば使用中および廃棄する際に破れにくい程度の強度が保持され、３０μｍ以下であれば容易に折り畳むことができ、さまざまな形態に梱包することが可能である。
【００２３】
〔吸収体〕
図１に示されるペット用排泄物吸収性物品１０において、吸収体１２としては、尿などの液体を吸収する吸収性物質であればその種類は特に制限されず、例えば綿状パルプ、破木パルプ、高吸収性ポリマー等の吸収性ポリマー、それらの混合積載体、ティッシュペーパー、これら吸収性物質を紙（台紙）や不織布に挟み込んだものなどが挙げられる。
このような吸収体としては、例えば図６に示すように、フラッフパルプ等のパルプ１６の集合体内の表面シート１１側に吸収性ポリマー１７が局在するように分散配置され、全体が薄葉紙１８等の薄い台紙で覆われて形成されているものが好適に使用できる。吸収性ポリマー１７を表面シート１１側に局在するようにパルプ１６内に分散配置することで、尿などの液体を効率的に吸収できる。また、吸収体１２を薄葉紙１８で覆うことで、保形成を確保したり、吸収性ポリマー１７および後述する消臭剤１９の脱落を防止したりできる。
なお、図６において、図１と同じ構成要素には同一の符号を付して、その説明を省略する。
【００２４】
吸収性ポリマー１７は、図６に示すようにパルプ１６中の表面シート１１側に局在するように分散配置される他、パルプ１６中に均一混合された状態で用いられたり、裏面シート１３側に散布したり、層状にして厚み方向中央に挿入したりすることができる。あるいは、吸水性ポリマー１７をシート化するなどの手段で部分的に配置してもよい。
吸水性ポリマーとしては、当該技術分野において通常用いられているものを適宜用いることができる。例えば、ポリアクリル酸ナトリウム、ポリアクリル酸ナトリウム架橋体、（アクリル酸−ビニルアルコール）共重合体、（デンプン−アクリル酸）グラフト重合体、（イソブチレン−無水マレイン酸）共重合体及びそのケン化物、ポリアクリル酸カリウム、並びにポリアクリル酸セシウム等が挙げられる。これら吸水性ポリマーは１種単独で、又は２種以上を組み合わせて用いることができる。特に、尿の保持力や吸収速度の観点からポリアクリル酸ナトリウム系のものが好ましい。
吸水性ポリマーの使用量は、吸収体（吸水性ポリマー、および後述する消臭剤等を含み、例えば図６に示すペット用排泄物吸収性物品１０の薄葉紙１８と、本発明のペット用排泄物吸収性物品用の表面シート１１の下層１５に包含された部分）の乾燥質量１００質量部に対して、乾燥質量で１〜５０質量部であると好ましく、３〜４５質量部であるとより好ましく、５〜４０質量部であると特に好ましい。
【００２５】
また、吸収体１２に合成繊維や架橋処理等を行った嵩高パルプ繊維等の繊維を配合して、液吸収時の圧縮部の復元性を向上させてもよい。
吸収体に繊維を配合した繊維状吸収体の場合、その使用量は、目付けが３０〜５００ｇ／ｍ２であると好ましく、４５〜４００ｇ／ｍ２であるとより好ましく、４０〜３００ｇ／ｍ２であると更に好ましい。目付けが３０ｇ／ｍ２以上であれば、十分な吸液性が確保でき、５００ｇ／ｍ２以下であれば、容易に折り畳むことができ、さまざまな形態に梱包することが可能である。
【００２６】
また、吸収体１２には、消臭剤１９が配合されていることが好ましい。消臭剤が配合されることで、ペット排泄物に起因した悪臭に対する消臭性に優れるようになる。
消臭剤としては、ペット排泄物に起因する水分と接触しても色素の溶出がなく、ペットと接触しても皮膚感作性などの問題がなく、ペット用排泄物吸収性物品の外観を損なわない色を有するものを用いる。好ましく用いられる消臭剤としては、例えば消臭性を有する天然木材が挙げられる。そのような木材としては、ヒノキ、ヒバ、サワラ、アスナロ、タイヒ、ベニヒ、ネズコ、スギ、ヤクスギアカマツ、ベイヒバ、ベイスギ、カラマツ、トドマツ、ツガ、モミ等のスギ科、マツ科又はヒノキ科、コウヤマキ、イヌマキ等の針葉樹、ユーカリ、クスノキ、センダン、マヌカ等を挙げることができる。これらの木材は１種単独で、又は２種以上を組み合わせて用いることができる。中でも、色素が溶出しにくく、尿に対する消臭力の観点から、スギ科、マツ科又はヒノキ科が好ましいが、特にヒノキおよび／またはヒバが好ましい。
これらの木材は、長辺が５ｍｍ以下のおが屑、具体的には粉砕物もしくは圧縮物、または糸状もしくはリボン状にして使用することが望ましく、ペット用排泄物吸収性物品の吸収体に混合するのが好ましい。なお、木材のおが屑は、比重が軽いため単独で散粒するよりパルプ１６に混合しながら積載する方が、安定生産しやすい。
【００２７】
消臭剤の配合量は、吸収体の乾燥質量１００質量部に対して、０．５〜３０質量部であると好ましく、１．０〜２５質量部であるとより好ましく、１．５〜２０質量部であると特に好ましい。消臭剤の配合量が０．５質量部以上であれば消臭性を十分に発揮でき、３０質量部以下であれば製造しやすい。
【００２８】
ところで、従来のペット用排泄物吸収性物品用の消臭剤としては、香料や精油等が用いられる場合が多かったが、香料や精油等は保存中に変色したり分解したりして消臭効果が軽減しやすかった。また、精油の種類によっては皮膚感作性を有するため、ペットへの配慮が必要となることがあった。
しかし、本発明のように、消臭剤として上述した消臭剤、特にヒノキおよび／またはヒバからなる消臭剤を用いれば、ペットと接触しても問題がない。また、このような消臭剤は、保存中に変色や分解しにくいので、消臭効果を持続できる。
【００２９】
以上説明した表面シート、裏面シート、吸収体を有するペット用排泄物吸収性物品に用いる、本発明のペット用排泄物吸収性物品用の表面シートは、上層と下層の２層からなり、下層をマンセル色相２．５ＹＲ〜７．５ＧＹ〜１０．０ＢＧとすることで、ペットの尿跡を隠蔽することを可能とした。また、この範囲の色ではペットの血尿を確認できるので、ペットの健康管理もできる。
更に、その上層に白色で複数の開孔を有するシートを用い、尿の吸収を妨げることなく、尿跡の輪染み等を目立たなくすることを可能とし、清潔感があり、長期間使用可能なペット用排泄物吸収性物品を得ることを可能とした。
また、該上層が上段と下段との２段構造であり、その上段が下段の開孔率よりも高い開孔率を有している場合、ペットの足がペット用排泄物吸収性物品より逆戻りをした尿を直接踏むことを防ぐことができ、衛生的である。
【００３０】
〔ペット用排泄物吸収性物品〕
本発明のペット用排泄物吸収性物品は、図１、６に示すように、上述した本発明のペット用排泄物吸収性物品用の表面シート１１と、裏面シート１３と、それらの間に設けられた吸収体１２とを有する。
例えば図１に示すペット用排泄物吸収性物品１０は、以下のようにして製造できる。すなわち、裏面シート１３、吸収体１２、及び本発明のペット用排泄物吸収性物品用の表面シート１１の下層１５をこの順に下から積層させ、裏面シートの縁を折り返す。その上に得られた本発明のペット用排泄物吸収性物品用の表面シート１１の上層１４を、糊、ホットメルト系の接着剤、熱融着等を用いて、その周囲を接着し、ペット用排泄物吸収性物品１０を成形する。
【００３１】
また、例えば図６に示すペット用排泄物吸収性物品１０は、以下のようにして製造できる。すなわち、裏面シート１３、薄葉紙１８の上に積載された吸収体１２、及び本発明のペット用排泄物吸収性物品用の表面シート１１の下層１５、その上に得られた本発明のペット用排泄物吸収性物品用の表面シート１１の上層１４をこの順に下から積層させる。ついで、糊、ホットメルト系の接着剤Ａ、熱融着等を用いて、その周囲を接着し、ペット用排泄物吸収性物品１０を成形する。
【００３２】
以上説明した本発明のペット用排泄物吸収性物品は、本発明のペット用排泄物吸収性物品用の表面シートを有しているので、ペットの尿跡を隠蔽すると共に、尿の吸収を妨げることなく、尿跡の輪染み等を目立たなくでき、清潔感があり、長期間使用可能である。
さらに、ペット用排泄物吸収性物品に備わる吸収体に特定の消臭剤を配合した場合、ペットと接触しても問題がなく、消臭効果を持続できる。
【実施例】
【００３３】
以下、本発明を実施例により具体的に説明するが、本発明はこれらに限定されるものではない。
また、各実施例及び比較例における諸物性の測定、及び評価は次の方法による。
【００３４】
〔マンセル色相〕
各薄葉紙のマンセル色相は、薄葉紙を１０枚重ねた状態でハンディ型簡易分光色差計  ＮＦ３３３（色差日本電色株式会社製）を用いて測定した。
【００３５】
〔尿跡の隠蔽性〕
成形した各試料に、人尿３０ｍＬを一箇所に滴下し、６時間後、パネル５名にて表面から見た尿跡の目立ちにくさを目視判定した。
（評価基準）
４点：全く目立たない
３点：ほとんど目立たない
２点：あまり目立たない
１点：目立つ
０点：非常に目立つ
（判定基準）
◎◎：５人の平均点が４点以上
◎：５人の平均点が３点以上４点未満
○：５人の平均点が２点以上３点未満
△：５人の平均点が１点以上２点未満
×：５人の平均点が１点未満
なお、判定基準において○以上を合格とする。
【００３６】
〔逆戻り防止性〕
成形した各試料の高さ１０ｃｍの位置から、１質量％の塩化ナトリウム水溶液３０ｍＬを１０秒間で５０ｍＬメスシリンダーを用いて各試料に注入した。
注入完了後、事前に質量を測定した濾紙（ＡＤＶＡＮＴＥＣ製、５Ａφ１１ｃｍ）１０枚を試料の表面に置き、その上から２ｋｇの荷重を３秒間５×５×πｃｍ２の範囲に加えた。
その後、再び濾紙の質量を測定し、質量増加分を逆戻り量（ｇ）とした。これを５回行い、平均値を表１及び２に示す。
【００３７】
〔色素溶出による外観の不衛生感〕
成形した各試料に、１質量％の塩化ナトリウム水溶液３０ｍＬを一箇所に滴下し、６時間後、パネル５名にて表面から見た色素溶出による外観の不衛生感を目視判定した。
（評価基準）
３点：色素溶出がない
２点：色素溶出がわずかにあるが、ほとんど目立たない
１点：色素溶出があり、目立つ
０点：色素溶出があり、非常に目立つ
（判定基準）
なし：５人全員の評価点が２点以上
あり：１点以下と判定した人が、１人以上
【００３８】
〔消臭効果〕
成形した各試料に、犬尿１０ｍＬを一箇所に滴下した後、アクリル製ボックス（０．５ｍ３）内に６時間放置し、放置後パネル３名にてボックス内の臭いの強さを官能評価した。臭いの強さは、６段階臭気強度表示法に準じ、以下の基準で判定し、平均値を求めた。
（判定基準）
５点：強烈な臭い
４点：強い臭い
３点：楽に感知できる臭い
２点：何のにおいであるかわかる弱い臭い
１点：やっと感知できる臭い
０点：無臭
【００３９】
下記の実施例、及び比較例において、上層として以下のフィルムを用意した。
開孔フィルム（Ａ）：
図２及び図３に示すような、ポリエチレン（坪量２３ｇ／ｍ２）、開孔率３６％、開孔密度１００孔／ｃｍ２、厚さ４００μｍであり、１段構造の白色開孔フィルム。
開孔フィルム（Ｂ）：
図４及び図５に示すような、ポリエチレン（坪量２３ｇ／ｍ２）、上段の開孔率６０％、開孔密度１０孔／ｃｍ２、厚さ２５０μｍ、下段の開孔率３７％、開孔密度１２０孔／ｃｍ２、厚さ２４０μｍである２段構造の白色開孔フィルム。
開孔フィルム（Ｃ）：
ポリエチレン（坪量２３ｇ／ｍ２）、開孔率３０％、開孔密度２３０孔／ｃｍ２、厚さ２８０μｍである１段構造の白色開孔フィルム。
【００４０】
〔実施例１〕
上層である開孔フィルム（Ａ）（３５０ｍｍ×４５０ｍｍ）の裏面全面に、薄く糊を塗布した。次に、下層であるマンセル色相４．９Ｇの薄葉紙（株式会社シモジマ社製、ライトグリーン２１０２５０５、３００ｍｍ×４００ｍｍ）を開孔フィルム（Ａ）の裏面全面に貼付け、表面シートを作成した。
表面シートを坪量２０８ｇ／ｍ２の綿状パルプの上にのせて試料を成形し、各評価を行った。結果を表１に示す。
【００４１】
〔実施例２〕
上層として開孔フィルム（Ｂ）（３５０ｍｍ×４５０ｍｍ）を用いた以外は実施例１と同様にして試料を成形し、各評価を行った。結果を表１に示す。
【００４２】
〔実施例３〕
下層としてマンセル色相４．１ＢＧの薄葉紙（株式会社ボンビアルコン社製、しつけるシーツ  レギュラーサイズ（Lot.０７.１２．０４）に使用されているものを剥がして使用、３００ｍｍ×４００ｍｍ）を用いた以外は実施例１と同様にして試料を成形し、各評価を行った。結果を表１に示す。
【００４３】
〔実施例４〕
下層としてマンセル色相５．１Ｙの薄葉紙（株式会社シモジマ社製、イエロー２１０２５１８、３００ｍｍ×４００ｍｍ）を用いた以外は実施例２と同様にして試料を成形し、各評価を行った。結果を表１に示す。
【００４４】
【表１】
0005150475.tif 000002
【００４５】
表１に示されるように、実施例１〜４で成形した表面シートは上層が白色で複数の開孔を有し、かつ下層に用いた薄葉紙のマンセル色相が条件を満たしているので、尿跡の隠蔽性に優れたものであった。中でも、２段構造で開孔密度が高い開孔フィルム（Ｂ）を用いた実施例２及び４については、尿跡の輪染み等がぼける効果も見られた。
更に、上層が２段構造である実施例２及び実施例４については、尿の逆戻りが少なく、１段構造である上層よりも衛生的であった。
【００４６】
〔比較例１〕
下層としてマンセル色相３．３Ｂの薄葉紙（株式会社シモジマ社製、ブルー２１０２５０４、３００ｍｍ×４００ｍｍ）を用いた以外は実施例１と同様にして試料を成形し、各評価を行った。結果を表２に示す。
【００４７】
〔比較例２〕
下層としてマンセル色相４．１ＰＢの薄葉紙（ユニ・チャームペットケア株式会社社製、デオシート  レギュラーサイズ（Lot.８６２０２３０２１）に使用されているものを剥がして使用、３００ｍｍ×４００ｍｍ）を用いた以外は実施例１と同様にして試料を成形し、各評価を行った。結果を表２に示す。
【００４８】
〔比較例３〕
下層としてマンセル色相８．４Ｒの薄葉紙（株式会社シモジマ社製、オレンジ２１０２５１９、３００ｍｍ×４００ｍｍ）を用いた以外は実施例１と同様にして試料を成形し、各評価を行った。結果を表２に示す。
【００４９】
〔比較例４〕
下層としてマンセル色相４．３Ｒの薄葉紙（株式会社シモジマ社製、レッド２１０２６００、３００ｍｍ×４００ｍｍ）を用いた以外は実施例１と同様にして試料を成形し、各評価を行った。結果を表２に示す。
【００５０】
〔比較例５〕
下層としてマンセル色相４．１ＰＢの薄葉紙（ユニ・チャームペットケア株式会社社製、デオシート  レギュラーサイズ（Lot.８６２０２３０２１）に使用されているものを剥がして使用、３００ｍｍ×４００ｍｍ）を用いた以外は実施例２と同様にして試料を成形し、各評価を行った。結果を表２に示す。
【００５１】
〔比較例６〕
上層である開孔フィルム（Ｃ）（３５０ｍｍ×４５０ｍｍ）の裏面全面に、薄く糊を塗布した。次に、下層であるマンセル色相３．３Ｂの薄葉紙（株式会社シモジマ社製、ブルー２１０２５０４、３００ｍｍ×４００ｍｍ）を開孔フィルム（Ｃ）の裏面全面に貼付け、表面シートを作成し用いた以外は実施例２と同様にして試料を成形し、各評価を行った。結果を表２に示す。
【００５２】
【表２】
0005150475.tif 000003
【００５３】
表２に示されるように、比較例１〜５で成形した表面シートは、上層は白色で複数の開孔を有するものであるが、下層に用いた薄葉紙のマンセル色相が条件を満たしていないので、尿跡の隠蔽性が好ましくなかった。比較例６で成形した表面シートは、上層は白色で複数の開孔を有するものであり、下層に用いた薄葉紙のマンセル色相が条件を満たしていないので、尿跡の隠蔽性が好ましくなかった。また、上層が薄く、開孔密度が高いため、逆戻り量が多かった。
【００５４】
〔参考例１〕
ヒノキおが屑１ｇを綿状パルプに混合した以外は実施例１と同様にして試料を成形し、各評価を行った。結果を表３に示す。
【００５５】
〔参考例２〕
ヒバおが屑１ｇを綿状パルプに混合した以外は実施例２と同様にして試料を成形し、各評価を行った。結果を表３に示す。
【００５６】
〔参考例３〕
緑茶葉１ｇを綿状パルプに混合した以外は実施例１と同様にして試料を成形し、各評価を行った。結果を表３に示す。
【００５７】
〔参考例４〕
紅茶葉１ｇを綿状パルプに混合した以外は実施例２と同様にして試料を成形し、各評価を行った。結果を表３に示す。
【００５８】
〔参考例５〕
粉砕コーヒー豆１ｇを綿状パルプに混合した以外は実施例１と同様にして試料を成形し、各評価を行った。結果を表３に示す。
【００５９】
〔参考例６〕
実施例１と同様にして試料を成形し、各評価を行った。結果を表３に示す。
【００６０】
【表３】
0005150475.tif 000004
【００６１】
表３に示されるように、参考例１〜２、および６で成形した試料は、色素溶出による外観の不衛生感を与えることなく消臭効果が良好であった。これに対して参考例３〜５で成形した試料は、外観の不衛生感のなさと消臭効果を同時に満たすことが困難であった。
【図面の簡単な説明】
【００６２】
【図１】ペット用排泄物吸収性物品の一例の断面図である。
【図２】１段構造の上層の一例の上面図である。
【図３】１段構造の上層の一例の断面図である。
【図４】２段構造の上層の一例の上面図である。
【図５】２段構造の上層の一例の断面図である。
【図６】ペット用排泄物吸収性物品の他の例の断面図である。
【符号の説明】
【００６３】
１０：ペット用排泄物吸収性物品、１１：ペット用排泄物吸収性物品用の表面シート、１２：吸収体、１３：裏面シート、１４：上層、１５：下層、１６：パルプ、１７：吸収性ポリマー、１８：薄葉紙、１９：消臭剤、２０：１段構造の上層、２１：フィルム、２２：孔、３０：２段構造の上層、３１上段、３２：下段、３３：孔。
【図１】
0005150475.tif 000005
【図２】
0005150475.tif 000006
【図３】
0005150475.tif 000007
【図４】
0005150475.tif 000008
【図５】
0005150475.tif 000009
【図６】
0005150475.tif 000010